(57)【要約】【課題】部分表示モードにおいて、非表示部の白書き込みリフレッシ駆動に同期した横スジが現れることを抑制した駆動装置を提供すること。【解決手段】ソースドライバ１０と、対向信号電圧供給手段１１６と、表示モード選択手段１８と、を備え、全画面表示モードのとき、表示画素１には、全面表示のため必要な輝度またはコントラストを提供する第２の補償信号電圧が供給され、部分表示モードのとき、対向信号電圧供給手段１１６は、第２の対向信号電圧を対向信号電極９に供給し、ソースドライバ１０は、フレーム中の非表示期間において、表示パネル５がノーマリホワイトの場合は表示画素１に白表示信号を、ノーマリブラックの場合は黒表示信号を、所定の周期で供給し、ここで、第２の対向信号電圧は、フリッカーレベルが最適となる電圧よりも低く、表示画面に横筋が見えない程度の電圧である、液晶表示装置。【選択図】  図１
2005010361.tif 000002
【特許請求の範囲】
【請求項１】
表示パネル上に配置された複数の各表示画素に画像信号を供給するソースドライバと、
前記表示画素に対向して配置されている対向信号電極に対向信号電圧を供給するための対向信号電圧供給手段と、
表示画面のうちの全部を表示させるための全画面表示モード、および表示画面のうちの一部を表示させるための部分表示モードを選択する表示モード選択手段と、を備え、
前記表示モード選択手段において、前記全画面表示モードが選択されているときは、
前記表示画素には、前記表示画面の全面に表示するために必要な輝度またはコントラストを提供する第２の補償信号電圧が供給され、
前記表示モード選択手段において、前記部分表示モードが選択されているときは、
前記対向信号電圧供給手段は、第２の対向信号電圧を前記対向信号電極に供給し、
前記ソースドライバは、フレーム中の非表示期間において、前記表示パネルがノーマリホワイトの場合は前記表示画素に白表示信号を、前記表示パネルがノーマリブラックの場合は前記表示画素に黒表示信号を、所定の周期で供給し、
ここで、前記第２の対向信号電圧は、フリッカーレベルが最適となる電圧である第１の対向信号電圧よりも低く、前記表示画面に横筋が見えない程度の電圧である、液晶表示パネルの駆動装置。
【請求項２】
前記表示モード選択手段において、前記部分表示モードが選択されているときに、前記表示画面に横筋が見えない最大の補償信号電圧である、第１の補償信号電圧が前記表示画素に供給される、請求項１に記載の液晶表示パネルの駆動装置。
【請求項３】
前記表示モード選択手段において、前記部分表示モードが選択されているとき、前記表示画素に前記第１の補償信号電圧の代わりに前記第２の補償信号電圧が供給され、前記第２の対向信号電圧は、前記第２の補償信号電圧が前記表示画素に供給されているときに、前記表示画面に横筋が見えない程度に低い電圧である、請求項１または２に記載の液晶表示パネルの駆動装置。
【請求項４】
前記第２の対向信号電圧は、前記表示画面に横筋が見えない電圧のうち最大の電圧である、請求項３に記載の液晶表示パネルの駆動装置。
【請求項５】
前記表示モード選択手段において、前記全画面表示モードが選択されているときの前記表示画素に供給される多値信号を第１の多値信号とするとき、
前記第１の多値信号は、前記表示画面に表示されるべき階調数に対応した数の電圧値を有しており、
前記表示モード選択手段において、前記部分表示モードが選択されているとき、前記第１の多値信号を構成する電圧値の数よりも少ない数の電圧値から構成される第２の多値信号が前記表示画素に供給され、
前記第２の対向信号電圧は、前記第２の多値信号が前記表示画素に供給されているときに、前記表示画面において実質上フリッカーが最少となる電圧である、請求項１〜４のいずれかに記載の液晶表示パネルの駆動装置。
【請求項６】
前記第２の多値信号は２値信号である、請求項５に記載の液晶表示パネルの表示装置。
【請求項７】
前記表示モード選択手段において、前記部分表示モードが選択されているときにおいて、
１フレーム中の表示期間においては、前記対向信号電圧供給手段は、前記対向信号電極に前記第２の対向信号電圧を供給する代わりに前記第１の対向信号電圧を供給し、前記表示画素には前記第２の多値信号が供給される代わりに、前記第１の多値信号が供給される、請求項５または６に記載の液晶表示パネルの駆動装置。
【請求項８】
前記第２の対向信号電圧は、前記第２の多値信号が供給される表示画面において実質上フリッカーが最少となる電圧のうち最小の電圧である、請求項５〜７のいずれかに記載の液晶表示パネルの駆動装置。
【請求項９】
前記対向信号電圧供給手段は、前記第２の対向信号電圧を決定するための固定抵抗素子、をさらに備えている、請求項１〜８のいずれかに記載の液晶表示パネルの駆動装置。
【請求項１０】
表示画素が配置された液晶表示パネルと、
請求項１〜９のいずれかに記載の液晶表示パネルの駆動装置と、を備える、表示装置。
【請求項１１】
請求項１に記載の液晶表示パネルの駆動装置の、ソースドライバ、対向信号電圧供給手段としてコンピュータを機能させるためのプログラム。
【請求項１２】
請求項１１に記載のプログラムを担持した記録媒体であって、コンピュータにより処理可能な記録媒体。
【請求項１３】
表示パネル上に配置された複数の各表示画素に画像信号を供給するソースドライバと、
前記表示画素に対向して配置されている対向信号電極に対向信号電圧を供給するための対向信号電圧供給手段と、
表示画面のうちの全部を表示させるための全画面表示モード、および表示画面のうちの一部を表示させるための部分表示モードを選択する表示モード選択手段と、を備える液晶表示パネルの駆動装置の駆動方法であって、
前記表示モード選択手段において、前記全画面表示モードが選択されているときは、
前記表示画素には、前記表示画面の全面に表示するために必要なコントラストを提供する第２の補償信号電圧が供給され、
前記表示モード選択手段において、前記部分表示モードが選択されているときは、
前記対向信号電圧供給手段は、第２の対向信号電圧を前記対向信号電極に供給し、
前記ソースドライバは、フレーム中の非表示期間において、前記表示パネルがノーマリホワイトの場合は前記表示画素に白表示信号を、前記表示パネルがノーマリブラックの場合は前記表示画素に黒表示信号を、所定の周期で供給し、
ここで、前記第２の対向信号電圧は、フリッカーレベルが最適となる電圧である第１の対向信号電圧よりも低く、前記表示画面に横筋が見えない程度の電圧である、液晶表示パネルの駆動装置の駆動方法。
【発明の詳細な説明】
【０００１】
【発明の属する技術分野】
本発明は携帯電話や携帯情報端末機等に用いられる情報表示用あるいはテレビモニター等の映像表示用としての液晶表示パネルの駆動装置、その駆動方法、それを利用した表示装置、そのプログラム、その記録媒体に関するものである。
【０００２】
【従来の技術】
近年、パソコンや携帯用電話機等の情報端末機や映像表示モニターとして軽薄短小の特徴を持つ液晶表示パネルの搭載機器が増えている。液晶表示パネルの駆動について簡単に述べる。
【０００３】
図５は、この従来のアクティブマトリックス型容量結合駆動方式液晶表示パネル（例えば、特許文献１参照。）の構成図を示すものである。ここで６は表示デ−タ信号に対応した電圧を画素に供給する画像信号電極線（Ｓ１〜Ｓｍ）、７は線順次走査を行うための選択走査信号電圧を供給する走査信号電極線（Ｘ１〜Ｘｎ）、８は後述する液晶表示素子３に補償信号電圧を供給する補償信号電極線（Ｘ１ｃ〜Ｘｎｃ）、２は走査信号電極線７からの選択走査信号電圧により制御されるスイッチング素子としての薄膜トランジスタ［以後、ＴＦＴと略す］、３は画素電極を有する表示材料としての液晶表示素子、４は液晶表示素子３に充電された画像電圧の低下を抑制するための蓄積容量、９は液晶表示素子３に基準となる電圧を供給するための対向信号電極、１０は各画像信号電極線６に画像信号電圧を供給するソースドライバ、１１は各走査信号電極線７に線順次走査を行うための選択走査信号電圧の供給および各補償信号電極線８に補償信号電圧を供給するゲートドライバである。
【０００４】
ソースドライバ１０のロジック回路にはタイミング制御を行うためのタイミング制御信号および画像表示信号が入力され、ゲートドライバ１１のロジック回路にも同様にタイミング制御を行うためのタイミング制御信号が入力されている。
尚、一つの表示画素は各１個のＴＦＴ２と液晶表示素子３と蓄積容量４からなる破線で囲まれた表示画素１から形成され、多数の表示画素でアクティブマトリックス型の液晶表示パネル５が構成される。
【０００５】
画像信号電極線６および走査信号電極線７はマトリックス状に配置され、これに対してＴＦＴ２のソ−ス端子（Ｓ）は画像信号電極線６に、ゲ−ト端子（Ｇ）は走査信号電極線７に、ドレイン端子（Ｄ）は液晶表示素子３の画素電極および蓄積容量４の一方の電極に接続され、液晶表示素子３の他方の電極は対向信号電極８に、蓄積容量４の他方の電極は補償信号電極線８に接続されている。対向信号電極９には直流の対向信号電圧（ＶＣＯＭ）が供給される。
【０００６】
画像表示を行うには、ソースドライバ１０より表示デ−タ信号に対応した画像信号電圧を各画像信号電極線６を介して各ＴＦＴ２のソ−ス端子（Ｓ）に供給するとともに、これと同期してゲートドライバ１１より選択された走査信号電極線７を介して選択走査信号電圧を各ＴＦＴ２のゲ−ト端子（Ｇ）に供給する。これにより、選択された走査信号電極線上の各ＴＦＴ２はー斉にオンし、ドレイン端子（Ｄ）より供給される表示デ−タ信号に対応した画像信号電圧と対向信号電極９に供給されている対向信号電圧（ＶＣＯＭ）との電位差分が最終的な画像情報の画像表示電圧として各液晶表示素子３と各蓄積容量４に蓄積される。その後、ゲートドライバ１１から選択された補償信号電極線８に１フレーム毎に極性反転する補償信号電圧（ＶＧＥ）の電位変化を蓄積容量４を介して供給することにより液晶表示素子３の画素電位を対向信号電圧（ＶＣＯＭ）に対して正極方向または負極方向にシフトさせる。
【０００７】
駆動電圧としてソースドライバ１０にはロジック回路用のＶＤＤ，アナログ回路用のＡＶＤＤが供給され、ゲートドライバ１１にはロジック回路用のＶＤＤ，走査選択信号電圧用のハイ電圧のＶＧＧとロウ電圧のＶＥＥ，補償信号電圧用のＶＧＥが供給されている。図６（Ａ），（Ｂ）はこのアクティブマトリックス型容量結合駆動方式の線順次走査の様子を示したもので、図６（Ａ）はゲートドライバ出力として走査選択電極線７のＸ１〜Ｘｎに供給される選択走査信号電圧と補償信号電極線８のＸ１ｃ〜Ｘｎｃに供給される補償信号電圧および対向信号電極に供給される対向信号電圧（ＶＣＯＭ）のタイミングチャート、図６（Ｂ）は１フレーム期間（１Ｆ）に渡る選択走査信号電圧（Ｖｇｏｎ＝ＶＧＧ−ＶＥＥ），補償信号電圧（ＶＧＥ），対向信号電圧（ＶＣＯＭ）と液晶表示素子３に充電される画素電圧の電位変化を表したタイミングチャートである。
【０００８】
１フレーム周期の補償電圧（ＶＧＥ）の立ち上がり／立ち下がりの変化で画素電位の交流化が行われる。この画素電圧はＴＦＴ２のオフ後もその画像情報は次の情報が書き込まれるまでの１フレーム期間（１Ｆ）に渡って保持され、液晶表示素子３はこの蓄積電圧量に対応しての液晶分子の捻れ角が変化することにより偏光板で方向性を与えた光の透過量を制御することでコントラストの高い高品位の画像を表示することができる。尚、補償信号電圧（ＶＧＥ）の供給に際して、図５の様に専用の補償信号電極線８が独立して設けられている構成を示したが、このような補償信号電極線を使用せず蓄積容量４の他端を前段もしくは後段の走査信号電極線７に接続し、走査選択信号電圧に補償信号電圧を重畳させるやり方であっても同様の容量結合型駆動が可能である。
【０００９】
一方、液晶表示パネルを駆動するための基本的な表示駆動回路は図７の様なブロック回路構成となる。図７において、５は液晶表示パネル、１２は液晶表示パネル５のソースドライバ１０へ画像表示信号を供給する画像表示信号制御回路、１３は液晶表示パネル５のソースドライバ１０およびゲートドライバ１１のロジック回路に駆動タイミングを制御する信号を供給するタイミング制御信号発生回路、１４は液晶表示パネル５の駆動に必要な信号源となる液晶表示用信号源、１５は液晶表示装置に電力を供給する電源回路、１６は対向信号電極９に対向信号電圧を供給するための対向信号電圧発生回路、１７は補償信号電極線８に補償信号電圧を供給する補償信号電圧発生回路、１８は全画面表示あるいは部分表示の表示モード切換情報を画像表示信号制御回路１２やタイミング制御信号発生回路１３に供給するための表示モード切換制御回路である。
【００１０】
尚、液晶表示パネル５に供給される対向信号電圧および補償信号電圧は直流電圧であるが、補償信号電圧はゲートドライバ１１に入力されるタイミング制御信号にて走査選択信号電圧と同様に線順次で、かつ、１フレーム周期で極性反転する補償信号電圧（ＶＧＥ）として各補償信号電極線８に供給される。液晶表示用信号源１４からの信号は画像表示信号制御回路１２とタイミング制御信号発生回路１３に供給され各々から液晶表示パネル５の表示動作に必要な画像信号電圧およびタイミング制御信号が作られる。液晶表示パネル５には電源回路１５から表示駆動に必要な各種電圧と画像表示信号制御回路１２からソースドライバ１０へ画像信号電圧そしてタイミング制御信号発生回路１３からソースドライバ１０，ゲートドライバ１１へタイミング制御信号が供給され表示動作が行われる。
【００１１】
携帯電話のような表示装置においては、表示モードとして液晶表示パネルの有効表示領域の全域を使用した全画面表示モードと一部分を使用した部分表示モードがある（例えば特許文献２参照）。部分表示モードの表示例を図８（Ａ），（Ｂ）に示す。ここでは上部の表示部（Ｄ１）と下部の表示部（Ｄ２）を表示させ、残りの中間部が非表示部（ＮＤ）としたものである。非表示部（ＮＤ）は、非表示状態とするので液晶表示パネルがノーマリーホワイト型では白表示，ノーマリーブラック型では黒表示となる。以下の内容についてはノーマリーホワイト型を例に述べる。
【００１２】
この非表示部（ＮＤ）は非表示動作にするため、例えば走査選択信号電圧を停止させることでＴＦＴ２を常時オフ状態にし、不要な画像信号電圧の書き込みをさせないようにする。しかしながら、長時間、非表示状態が続くと表示部（Ｄ１，Ｄ２）での画像信号電圧が徐々に非表示部（ＮＤ）に対してリークし、図８（Ａ）のような縦スジや縦帯状の画面が現れてくる。この縦スジや縦帯状の画面は、液晶表示パネルのバラツキにもよるが数秒から数十秒で発生してくるが、非表示部（ＮＤ）に対しフレーム単位で定期的にノーマリーホワイト型では白書き込み（ノーマリーブラック型では黒書き込み）によるフレッシュ駆動を行うことにより図８（Ｂ）のように非表示部（ＮＤ）に発生する縦スジや縦帯状の画面を抑制することができる。図９は部分表示モードにおける主なタイミング制御信号のタイミングチャートである。
【００１３】
ここでは、フレーム周期の垂直同期信号のＶＤ、画像表示信号のＶＳＳ、ゲートドライバ１１の走査選択信号電圧の出力制御を行うゲート選択停止信号のＯＥＶ、補償信号電圧のＶＧＥそして対向信号電圧のＶＣＯＭを示す。部分表示モード時の画像表示信号（ＶＳＳ）は、表示期間（Ｔａ１，Ｔａ２）と定期的な白書き込みが行われる非表示期間（Ｔｂ２）で供給され、それ以外の非表示期間（Ｔｂ１）は不規定（ここでは０電位）となる。ここでの非表示期間（Ｔｂ２）の白書き込みは３フレーム周期である。ゲート選択停止信号（ＯＥＶ）は画像表示信号（ＶＳＳ）と同期して部分表示モードの非表示期間（Ｔｂ１）のみハイにして、この期間のゲートドライバ１１からの走査選択信号電圧を停止させるものである。対向信号電圧（ＶＣＯＭ）は表示部のフリッカーズレ量が最小となる最適直流電圧が与えられる。
【００１４】
また、補償信号電圧（ＶＧＥ）は図６（Ｂ）で述べたように、変化する電圧レベル値に比例してゲートドライバ１１を介して液晶表示素子３の蓄積電位を上または下方向にシフトさせる働きをするので、液晶特性が駆動電圧に対して線形変化をする領域であれば輝度調整、非線形変化をする領域で有れば輝度調整／コントラスト調整が可能である。補償信号電圧（ＶＧＥ）を高くするほど黒レベル方向にシフトした表示品位になる。そのため、補償信号電圧（ＶＧＥ）の入力電圧のレベルは液晶表示パネルの特性や表示品位を考慮した値に設定される。
【００１５】
【特許文献１】
特開平０２−９１３号公報
【特許文献２】
特開２００１−２６５２９５号公報
【００１６】
【発明が解決しようとする課題】
しかしながら部分表示モードにおいて補償信号電圧（ＶＧＥ）の電圧レベルを高くしていくと、図１０で示す非表示部（ＮＤ）において、白書き込みのリフレッシ駆動に同期した周期で１走査ライン毎のグレー表示の横スジが現れてくる。
【００１７】
液晶表示パネルでの通常の画像表示は、フレーム周期で交流化された画像信号電圧が書き込まれるのに対して部分表示モードの非表示領域での白書き込みは数フレームから数十フレームに１回の割合で駆動される。保持された画素電位は再書き込みが行われるまでの数フレームから数十フレームに渡る間、▲１▼交流化されている正極側と負極側との画素電位のリークが非対称になり交流化バランスが崩れることによる画素電位の偏り、あるいは▲２▼画素電位の交流化バランス崩れによる正極側充電時と負極側充電時とで液晶表示素子の画素容量（Ｃｌｃ）が異なってしまい、補償信号電圧（ＶＧＥ）による画素電位のシフト量（△ＶＧＥ＝ＶＧＥ↑↓×（Ｃｓ／（Ｃｌｃ＋Ｃｇｄ＋Ｃｓ）））（ＶＥＧＴ↑↓は、補償信号電極線が導入される補償信号電位の増加方向または減少方向への変化分を示す。）も正極側シフトと負極側シフトとでアンバランスが生じるため、１走査ライン毎にグレー表示の横スジが現れるものと考えられる。
【００１８】
そのため、全画面表示モードや部分表示モードで共通の補償信号電圧レベルを使う場合には、部分表示での横スジ起因で補償信号電圧（ＶＧＥ）の可変による輝度調整／コントラスト調整が充分にできないという制約課題が生じていた。当然のことながら、横スジの濃度は補償信号電圧（ＶＧＥ）が高くなるほど濃くなる。
【００１９】
本発明は係る点に鑑み、部分表示モードでの非表示部の定期的な白書き込みにより発生する横スジを抑制することができる液晶表示パネルの駆動装置、液晶表示パネルの駆動方法、液晶表示パネルの駆動装置を利用した表示装置、そのプログラム、記録媒体を提供することを目的としたものである。
【００２０】
【課題を解決するための手段】
上記課題を解決するための第１の本発明は、表示パネル上に配置された複数の各表示画素に画像信号を供給するソースドライバと、
前記表示画素に対向して配置されている対向信号電極に対向信号電圧を供給するための対向信号電圧供給手段と、
表示画面のうちの全部を表示させるための全画面表示モード、および表示画面のうちの一部を表示させるための部分表示モードを選択する表示モード選択手段と、を備え、
前記表示モード選択手段において、前記全画面表示モードが選択されているときは、
前記表示画素には、前記表示画面の全面に表示するために必要な輝度またはコントラストを提供する第２の補償信号電圧が供給され、
前記表示モード選択手段において、前記部分表示モードが選択されているときは、
前記対向信号電圧供給手段は、第２の対向信号電圧を前記対向信号電極に供給し、
前記ソースドライバは、フレーム中の非表示期間において、前記表示パネルがノーマリホワイトの場合は前記表示画素に白表示信号を、前記表示パネルがノーマリブラックの場合は前記表示画素に黒表示信号を、所定の周期で供給し、
ここで、前記第２の対向信号電圧は、フリッカーレベルが最適となる電圧である第１の対向信号電圧よりも低く、前記表示画面に横筋が見えない程度の電圧である、液晶表示パネルの駆動装置である。
【００２１】
第２の本発明は、前記表示モード選択手段において、前記部分表示モードが選択されているときに、前記表示画面に横筋が見えない最大の補償信号電圧である、第１の補償信号電圧が前記表示画素に供給される、第１の本発明の液晶表示パネルの駆動装置である。
【００２２】
第３の本発明は、前記表示モード選択手段において、前記部分表示モードが選択されているとき、前記表示画素に前記第１の補償信号電圧の代わりに前記第２の補償信号電圧が供給され、前記第２の対向信号電圧は、前記第２の補償信号電圧が前記表示画素に供給されているときに、前記表示画面に横筋が見えない程度に低い電圧である、第１または２の本発明の液晶表示パネルの駆動装置である。
【００２３】
第４の本発明は、前記第２の対向信号電圧は、前記表示画面に横筋が見えない電圧のうち最大の電圧である、第３の本発明の液晶表示パネルの駆動装置である。
【００２４】
第５の本発明は、前記表示モード選択手段において、前記全画面表示モードが選択されているときの前記表示画素に供給される多値信号を第１の多値信号とするとき、
前記第１の多値信号は、前記表示画面に表示されるべき階調数に対応した数の電圧値を有しており、
前記表示モード選択手段において、前記部分表示モードが選択されているとき、前記第１の多値信号を構成する電圧値の数よりも少ない数の電圧値から構成される第２の多値信号が前記表示画素に供給され、
前記第２の対向信号電圧は、前記第２の多値信号が前記表示画素に供給されているときに、前記表示画面において実質上フリッカーが最少となる電圧である、第１〜４のいずれかの本発明の液晶表示パネルの駆動装置である。
【００２５】
第６の本発明は、前記第２の多値信号は２値信号である、第５の本発明の液晶表示パネルの表示装置である。
【００２６】
第７の本発明は、前記表示モード選択手段において、前記部分表示モードが選択されているときにおいて、
１フレーム中の表示期間においては、前記対向信号電圧供給手段は、前記対向信号電極に前記第２の対向信号電圧を供給する代わりに前記第１の対向信号電圧を供給し、前記表示画素には前記第２の多値信号が供給される代わりに、前記第１の多値信号が供給される、第５または６の本発明の液晶表示パネルの駆動装置である。
【００２７】
第８の本発明は、前記第２の対向信号電圧は、前記第２の多値信号が供給される表示画面において実質上フリッカーが最少となる電圧のうち最小の電圧である、第５〜７のいずれかの本発明の液晶表示パネルの駆動装置である。
【００２８】
第９の本発明は、前記対向信号電圧供給手段は、前記第２の対向信号電圧を決定するための固定抵抗素子、をさらに備えている、第１〜８のいずれかの本発明の液晶表示パネルの駆動装置である。
【００２９】
第１０の本発明は、表示画素が配置された液晶表示パネルと、
第１〜９のいずれかの本発明の駆動装置と、を備える、表示装置である。
【００３０】
第１１の本発明は、第１の本発明の液晶表示パネルの駆動装置の、ソースドライバ、対向信号電圧供給手段としてコンピュータを機能させるためのプログラムである。
【００３１】
第１２の本発明は、第１１の本発明のプログラムを担持した記録媒体であって、コンピュータにより処理可能な記録媒体である。
【００３２】
第１３の本発明は、表示パネル上に配置された複数の各表示画素に画像信号を供給するソースドライバと、
前記表示画素に対向して配置されている対向信号電極に対向信号電圧を供給するための対向信号電圧供給手段と、
表示画面のうちの全部を表示させるための全画面表示モード、および表示画面のうちの一部を表示させるための部分表示モードを選択する表示モード選択手段と、を備える液晶表示パネルの駆動装置の駆動方法であって、
前記表示モード選択手段において、前記全画面表示モードが選択されているときは、
前記表示画素には、前記表示画面の全面に表示するために必要なコントラストを提供する第２の補償信号電圧が供給され、
前記表示モード選択手段において、前記部分表示モードが選択されているときは、
前記対向信号電圧供給手段は、第２の対向信号電圧を前記対向信号電極に供給し、
前記ソースドライバは、フレーム中の非表示期間において、前記表示パネルがノーマリホワイトの場合は前記表示画素に白表示信号を、前記表示パネルがノーマリブラックの場合は前記表示画素に黒表示信号を、所定の周期で供給し、
ここで、前記第２の対向信号電圧は、フリッカーレベルが最適となる電圧である第１の対向信号電圧よりも低く、前記表示画面に横筋が見えない程度の電圧である、液晶表示パネルの駆動装置の駆動方法である。
【００３３】
【発明の実施の形態】
図１は本発明の液晶表示パネルを駆動するための基本的な表示駆動回路のブロック回路構成である。図１において、５は液晶表示パネル、１２は液晶表示パネル５のソースドライバ１０へ画像表示信号を供給する画像表示信号制御回路、１１３は液晶表示パネル５のソースドライバ１０およびゲートドライバ１１のロジック回路および対向信号電圧制御回路１９の駆動タイミングを制御する信号を供給するタイミング制御信号発生回路、１４は液晶表示パネル５の駆動に必要な信号源となる液晶表示用信号源、１５は液晶表示装置に電力を供給する電源回路、１１６は対向信号電極９に対向信号電圧を供給するための本発明の対向信号電圧供給手段の一例である対向信号電圧発生回路、１７は補償信号電極線８に補償信号電圧を供給する補償信号電圧発生回路、１８は全画面表示あるいは部分表示の表示モード切換情報を画像表示信号制御回路１２やタイミング制御信号発生回路１１３に供給するための本発明の表示モード選択手段の一例である表示モード切換制御回路である。
【００３４】
図７の従来例との相違は、タイミング制御信号発生回路１１３に対向信号電圧および非表示期間を選択制御させる対向信号電圧選択信号（ＶＣＳ）の付加と対向信号電圧発生回路１１６に２種類の対向信号電圧（ＶＣＯＭ１，ＶＣＯＭ２）を出力させる機能を持たせたことである。
【００３５】
ここでＶＣＯＭ１は本発明の第１の対向信号電圧の一例であり、全画面表示期間時は最適フリッカーセンターとなる電圧レベルとし、ＶＣＯＭ２は、本発明の第２の対向信号電圧の一例であり、ＶＣＯＭ１とＶＣＯＭ２の関係は図１１（Ａ）で示したように補償信号電圧（ＶＧＥ）に対し部分表示期間の対向信号電圧（ＶＣＯＭ２）をＶＣＯＭ２≦ＶＣＯＭ１にして全画面表示期間の対向信号電圧（ＶＣＯＭ１）と同等レベルの横スジ発生回避の条件とする。
【００３６】
すなわち、横スジの濃度は図１１（Ａ），（Ｂ）に示すように補償信号電圧（ＶＧＥ）のみならず対向信号電圧（ＶＣＯＭ）にも関係する。図１１（Ａ）は横スジ有無に対する補償信号電圧（ＶＧＥ）と対向信号電圧（ＶＣＯＭ）の関係を示した図、図１１（Ｂ）は対向信号電圧（ＶＣＯＭ）とフリッカーレベルの関係を示す図である。通常、対向信号電圧（ＶＣＯＭ）は多値表示画面でのフリッカーレベルが最小となる最適フリッカーセンターのＶＣＯＭ１に設定される。この対向信号電圧（ＶＣＯＭ１）時における横スジが見えない最大補償信号電圧（ＶＧＥ）が本発明の第１の補償信号電圧の一例であるＶＧＥ１になる。横スジが出ない状態で補償信号電圧をＶＧＥ１より大きくするには対向信号電圧（ＶＣＯＭ）を下げる必要性があることを図１１（Ａ）は示している。
【００３７】
しかしながら、図１１（Ｂ）で示すように多値表示画面にて対向信号電圧を最適値のＶＣＯＭ１からずらすと云うことはフリッカーバランスを崩しフリッカーの増大となるので使い難いが、８色表示の２値表示画面では中間調がないためフリッカーズレが出にくくなるのでフリッカーバランスが保てる対向信号電圧（ＶＣＯＭ）は従来より△ＶＣＯＭ低いＶＣＯＭ２まで下げられる。これにより、横スジの許容レベルも補償信号電圧（ＶＧＥ）を△ＶＧＥ高い本発明の第２の補償信号電圧の一例であるＶＧＥ２まで上げることが可能になる。他の制御信号などについては図７の従来例と同様である。
【００３８】
図３は、図１と同様の回路を別の構成で示したものである。図３において、ＤＣＤＣ電源回路２１は、図１における補償信号電圧発生回路１７および対向信号電圧発生回路１１６に相当し、コントローラ回路２０は、画像表示信号制御回路１２およびタイミング信号発生回路１１３に相当する。
【００３９】
以下に具体的な制御について図２のタイミングチャートとともに述べる。
【００４０】
全画面表示モードの期間と部分表示モードの期間について１フレーム周期（１Ｆ）を基準に主な制御信号である垂直同期信号（ＶＤ），画像表示信号（ＶＳＳ），ゲート選択停止信号（ＯＥＶ），対向信号電圧選択信号（ＶＣＳ），補償信号電圧（ＶＧＥ）と対向信号電圧（ＶＣＯＭ）について記してある。尚、補償信号電圧（ＶＧＥ）は表示品位として例えば全画面表示モードにおいて充分なる輝度／コントラストを確保するに必要なＶＧＥ＝ＶＧＥ２の条件（対向信号電圧がＶＣＯＭ１の時、部分表示モードでは非表示部に横スジが発生の状態）での駆動とする。
【００４１】
対向信号電圧選択信号（ＶＣＳ）と対向信号電圧（ＶＣＯＭ）の制御方法について図２の＜Ａ＞と＜Ｂ＞の２通りを示してある。まず、図２の＜Ａ＞での対向信号電圧選択信号（ＶＣＳ）は全画面表示期間と部分表示期間とを区別する２種類の制御信号としたものである。部分表示期間の対向信号電圧（ＶＣＯＭ）の電圧レベルを横スジ発生の限界値であるＶＣＯＭ２に設定されるので補償信号電圧がＶＧＥ２であっても非表示部（ＮＤ）の横スジは抑制されて発生しない。この場合、当然のことながら全画面表示期間の対向信号電圧（ＶＣＯＭ１）に対して部分表示期間の表示部（Ｄ１，Ｄ２）の対向信号電圧はＶＣＯＭ２となっているので表示部（Ｄ１，Ｄ２）が多値表示された時には大幅なフリッカーセンターズレとなるのでチラツキが生じて表示品位の劣化をきたしてしまう。これを回避するには図１１（Ｂ）で示したように表示部（Ｄ１，Ｄ２）の表示モードを２値表示に限定することで最適フリッカーセンター領域がＶＣＯＭ２以下まで広がる（すなわち、実質的にフリッカーが最少となる対向信号電圧の範囲が広くなる。）ので対向信号電圧がＶＣＯＭ２であっても表示品位への影響をなくすことができる。
【００４２】
次に図２の＜Ｂ＞は＜Ａ＞での表示部（Ｄ１，Ｄ２）の２値表示限定の制約に対して、全画面表示時と同等な多値表示での表示品位を得るための例である。対向信号電圧選択信号（ＶＣＳ）は部分表示期間に白書き込み時を含む非表示期間（Ｔｂ１，Ｔｂ２）および全画面表示期間と部分表示期間の表示期間（Ｔａ１，Ｔａ２）とを区別する３種類の制御信号としたものである。対向信号電圧選択信号（ＶＣＳ）の制御により全画面表示期間と部分表示期間の表示期間（Ｔａ１，Ｔａ２）の対向信号電圧（ＶＣＯＭ）はＶＣＯＭ１，ＶＣＯＭ２１＝ＶＣＯＭ１を選択し、部分表示期間の白書き込み時を含む非表示期間（Ｔｂ１，Ｔｂ２）の対向信号電圧（ＶＣＯＭ）はＶＣＯＭ２２＝ＶＣＯＭ２を選択する。
【００４３】
ここで、非表示期間（Ｔｂ１，Ｔｂ２）の対向信号電圧（ＶＣＯＭ）はＶＣＯＭ２を横スジ発生の限界値以下となる電圧レベルに設定することで非表示部（ＮＤ）で白書き込み駆動により発生していた横スジ発生の回避が可能になる。表示期間と非表示期間とで独立した対向信号電圧にするので全画面表示期間と部分表示期間の表示期間（Ｔａ１，Ｔａ２）のフリッカーバランスは最適点のＶＣＯＭ１になるので全画面表示時や部分表示時の両方に対してフリッカーバランスがとれ、かつ、部分表示の非表示部の横スジも回避された表示品位の高い画像表示を行うことができる。
【００４４】
ＶＣＯＭ１、ＶＣＯＭ２１、ＶＣＯＭ２、ＶＣＯＭ２２を供給するためのＤＣＤＣ電源回路２１としては、例えば図４に示す構成が挙げられる。図４（Ａ）は、ＶＣＯＭ１、２１の供給のために可変抵抗１２０が使用され、ＶＣＯＭ２、２２の供給のために可変抵抗１２１が使用される例である。このような回路によれば、ＶＣＯＭ１、２１、ＶＣＯＭ２、２２を自由に設定することができるが、可変抵抗のばらつきを考えると、製造するときにあらかじめプリセットする必要がある。
【００４５】
図４（Ｂ）は、可変抵抗１２０と、ＶＣＯＭ２、２２の設定のために固定分割抵抗１２２、１２３が使用される例である。このような回路によれば、ＶＣＯＭ２、２２に関しては、その設定値の許容範囲が広いため、製造するときにあらかじめプリセット操作が必要とされず、簡単な工程で製造することができる。
【００４６】
本発明は前記した駆動装置により、部分表示モード時の白書き込み時も含めた非表示部の対向信号電圧に関し、表示部と同等もしくはそれ以下の対向信号電圧レベルにすることにより非表示部の白書き込み駆動に同期して発生する１走査ライン毎の横スジを抑制でき、液晶パネルの表示品位を大幅に改善できるものであり、その効果は大なるものである。
【００４７】
なお、以上までの説明では、多値表示では、ＶＣＯＭは、最適フリッカーセンターからずらしにくいとしたが、フリッカーレベルが実質的に最少となる範囲においてずらされるならば上記同様の効果を得ることができる。
【００４８】
また、以上の説明では、部分表示モードにおいて、または部分表示モードの非表示期間において、２値信号が使用されるとしたが、使用される信号は２値に限定されなくてもよい。すなわち、全画面表示モードにおいて使用される階調の数に対応した電圧値を有する多値信号よりも少ない数の電圧値から構成される多値信号であれば、部分表示モードにおいて、または部分表示モードの非表示期間において、フリッカーレベルが最少となる対向信号電圧の範囲は、全画面表示モードのときよりも広がるので、上記と同様の効果を得ることができる。
【００４９】
また、ＶＣＯＭ２は、ＶＣＯＭ１よりも低く、実質上フリッカーレベルが最少となる電圧であるとして説明したが、ＶＣＯＭ２は、所定の補償電位のもとで、ＶＣＯＭ１よりも低く、表示画面において横筋が見えない範囲における最大値であってもよい。そのような場合は、フリッカーの状態は最適でないかもしれないが、横スジが見えない、必要な輝度／コントラストを確保できる、という点で上記と同様の効果を得ることができる。
【００５０】
また、上記の説明では、ＶＧＥ２は、全画面表示モードにおいて充分な輝度／コントラストを提供することができる値であるとしたが、例えば、部分表示モードの表示期間において必要な輝度／コントラストを確保することができる程度の値であってもよい。その場合も、上記と同様の効果を得ることができる。
【００５１】
また、以上では、表示パネルがノーマリホワイトの場合を例に説明したが、ノーマリブラックである場合は、定期的に白書き込みされる代わりに定期的に黒書き込みされる点が異なるのみで、その他の動作は同様であり、その場合も上記と同様の効果を得ることができる。
【００５２】
また、以上までの説明では、全画面表示モードと部分表示モードの２つのモードが存在する場合を説明したが、本発明の液晶表示パネルの駆動装置は、部分表示専用の液晶パネルの駆動装置であってもよい。
【００５３】
なお、本発明は、上述した本発明の液晶表示パネルの駆動装置の全部または一部の手段または装置の機能をコンピュータにより実行させるためのプログラムであって、コンピュータと協働して動作するプログラムである。
【００５４】
また、本発明は、上述した液晶表示パネルの駆動装置のためのプログラムを担持した媒体であり、コンピュータにより処理可能且つ、処理された前記プログラムが前記コンピュータと協働して前記機能を実行する媒体である。
【００５５】
また、本発明の一部の手段または装置とは、それらの複数の手段または装置のうちの、幾つかの手段または装置を意味し、あるいは、一つの手段または装置のうちの、一部の機能または一部の動作を意味するものである。
【００５６】
また、本発明の一部の手段または装置とは、それらの複数の手段または装置のうちの、幾つかの手段または装置を意味し、あるいは、一つの手段または装置のうちの、一部の手段のまたは装置を意味し、あるいは、一つの手段のうちの一部の機能を意味するものである。
【００５７】
また、本発明のプログラムを記録した、コンピュータにより処理可能な記録媒体も本発明に含まれる。
【００５８】
また、本発明のプログラムの一利用形態は、コンピュータにより読み取り可能な記録媒体に記録され、コンピュータと協働して動作する態様であってもよい。
【００５９】
また、本発明のプログラムの一利用形態は、伝送媒体中を伝送し、コンピュータにより読み取られ、コンピュータと協働して動作する態様であってもよい。
【００６０】
また、記録媒体としては、ＲＯＭ等が含まれ、伝送媒体としては、インターネット等の伝送媒体、光、電波、音波等が含まれる。
【００６１】
また、上述した本発明のコンピュータは、ＣＰＵ等の純然たるハードウェアに限らず、ファームウェアや、ＯＳ、更に周辺機器を含むものであってもよい。
【００６２】
なお、以上説明したように、本発明の構成は、ソフトウェア的に実現してもよいし、ハードウェア的に実現してもよい。
【００６３】
【発明の効果】
本発明によれば、部分表示モードでの非表示部の定期的な白書き込みにより発生する横スジを抑制することができる液晶表示パネルの駆動装置、液晶表示パネルの駆動方法、液晶表示パネルの駆動装置を利用した表示装置、そのプログラム、記録媒体を提供することができる。
【図面の簡単な説明】
【図１】本発明の実施の形態での液晶表示パネルの駆動装置における駆動制御系のブロック回路例。
【図２】本発明の実施形態での液晶表示パネルの駆動に関する主な駆動電圧／制御信号のタイミングチャート。
【図３】本発明の実施の形態での液晶表示パネルの駆動装置における駆動電圧系をＤＣＤＣ電源回路化した場合のブロック回路例。
【図４】本発明の実施の形態での液晶表示パネルの駆動装置における駆動電圧系のＤＣＤＣ電源回路化した場合の対向信号電圧発生回路の構成例。
【図５】一般的なアモルファスＴＦＴによるアクティブ型容量結合駆動方式液晶表示パネルの構成図例。
【図６】（Ａ）図５の液晶表示パネルに関するゲートドライバ系の主な制御信号のタイミングチャート。
（Ｂ）液晶表示素子への画像信号電圧の充電特性。
【図７】従来のアクティブ型容量結合駆動方式液晶表示パネルの駆動装置における駆動制御系のブロック回路図例。
【図８】部分表示モード駆動における表示画面例。
【図９】図７の液晶表示パネルの駆動装置における部分表示モード駆動の場合の主な駆動電圧／制御信号のタイミングチャート。
【図１０】部分表示モード駆動における表示画面例。
【図１１】（Ａ）横スジ発生に関する補償信号電圧と対向信号電圧との関係グラフ。
（Ｂ）多値／２値表示モードにおける対向信号電圧に対するフリッカー特性のグラフ。
【符号の説明】
５  液晶表示パネル
１２  画像表示信号制御回路
１１３  タイミング制御信号発生回路
１１６  対向信号電圧発生回路
２０  コントローラ回路
２１  ＤＣＤＣ電源回路
【図１】
2005010361.tif 000003
【図２】
2005010361.tif 000004
【図３】
2005010361.tif 000005
【図４】
2005010361.tif 000006
【図５】
2005010361.tif 000007
【図６】
2005010361.tif 000008
【図７】
2005010361.tif 000009
【図８】
2005010361.tif 000010
【図９】
2005010361.tif 000011
【図１０】
2005010361.tif 000012
【図１１】
2005010361.tif 000013